【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と、前記少なくとも１つの放射線画像読取装置から受信される画像データを処理することが可能な複数の医用画像処理装置とを含む放射線撮影システムにおいて、それぞれの記録シートが使用された回数を集計する記録シート使用回数集計方法であって、
前記少なくとも１つの放射線画像読取装置から、記録シートに記録された放射線画像を読み取ることによって得られた画像データと共に、記録シートを識別するために用いられる記録シート識別情報を１つの医用画像処理装置において受信するステップ（ａ）と、
前記１つの医用画像処理装置において、ステップ（ａ）において受信された記録シート識別情報に基づいて、記録シート毎に使用された回数をカウントし、設定された条件に従ってカウント値を重み付けして、重み付けされたカウント値を累積して記録シート識別情報に対応させて格納するステップ（ｂ）と、
前記１つの医用画像処理装置において、オペレータによる操作又は設定された条件に従って、他の医用画像処理装置に格納されているカウント値を参照してステップ（ｂ）において格納されたカウント値に加算することにより、記録シート毎に合計カウント値を算出するステップ（ｃ）と、
を具備する記録シート使用回数集計方法。
【請求項２】
ステップ（ｂ）が、放射線画像読取装置毎に設定された条件と、放射線画像読取装置の設置環境毎に設定された条件と、記録シート毎に設定された条件との内の少なくとも１つに従ってカウント値を重み付けすることを含む、請求項１記載の記録シート使用回数集計方法。
【請求項３】
前記１つの医用画像処理装置において、ステップ（ｃ）において算出された合計カウント値を、設定された記録シート推奨使用回数と比較することにより比較結果を得るステップ（ｄ）と、
前記１つの医用画像処理装置において、ステップ（ｄ）において得られた比較結果に基づいて、それぞれの記録シートの使用状況を画像又は音声で通知するステップ（ｅ）と、
をさらに具備する、請求項１又は２記載の記録シート使用回数集計方法。
【請求項４】
被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と、前記少なくとも１つの放射線画像読取装置から受信される画像データを処理することが可能な複数の医用画像処理装置とを含む放射線撮影システムにおいて、それぞれの記録シートが使用された回数を集計する記録シート使用回数集計方法であって、
記録シートに記録された放射線画像を読み取ることによって得られた画像データと共に、記録シートを識別するために用いられる記録シート識別情報が前記少なくとも１つの放射線画像読取装置からいずれかの医用画像処理装置に送信される際に、１つの医用画像処理装置において記録シート識別情報を受信するステップ（ａ）と、
前記１つの医用画像処理装置において、ステップ（ａ）において受信された記録シート識別情報に基づいて、記録シート毎に使用された回数をカウントし、設定された条件に従ってカウント値を重み付けして、重み付けされたカウント値を累積して記録シート識別情報に対応させて格納するステップ（ｂ）と、
を具備する記録シート使用回数集計方法。
【請求項５】
ステップ（ｂ）が、放射線画像読取装置毎に設定された条件と、放射線画像読取装置の設置環境毎に設定された条件と、記録シート毎に設定された条件との内の少なくとも１つに従ってカウント値を重み付けすることを含む、請求項４記載の記録シート使用回数集計方法。
【請求項６】
前記１つの医用画像処理装置において、ステップ（ｂ）において格納されたカウント値を、設定された記録シート推奨使用回数と比較することにより比較結果を得るステップ（ｃ）と、
前記１つの医用画像処理装置において、ステップ（ｃ）において得られた比較結果に基づいて、それぞれの記録シートの使用状況を画像又は音声で通知するステップ（ｄ）と、
をさらに具備する、請求項４又は５記載の記録シート使用回数集計方法。
【請求項７】
被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と共に使用され、画像データを処理すると共に、それぞれの記録シートが使用された回数を集計する医用画像処理装置であって、
前記少なくとも１つの放射線画像読取装置から、記録シートに記録された放射線画像を読み取ることによって得られた画像データと共に、記録シートを識別するために用いられる記録シート識別情報を受信するように受信動作を制御する受信制御手段と、
前記受信制御手段の制御の下で受信された画像データを処理する画像処理手段と、
前記受信制御手段の制御の下で受信された記録シート識別情報に基づいて、記録シート毎に使用された回数をカウントし、設定された条件に従ってカウント値を重み付けして、重み付けされたカウント値を累積して記録シート識別情報に対応させて格納部に格納するカウント手段と、
オペレータによる操作又は設定された条件に従って、他の医用画像処理装置に格納されているカウント値を参照して前記格納部に格納されているカウント値に加算することにより、記録シート毎に合計カウント値を算出する算出手段と、
を具備する医用画像処理装置。
【請求項８】
前記カウント手段が、放射線画像読取装置毎に設定された条件と、放射線画像読取装置の設置環境毎に設定された条件と、記録シート毎に設定された条件との内の少なくとも１つに従ってカウント値を重み付けする、請求項７記載の医用画像処理装置。
【請求項９】
前記算出手段によって算出された合計カウント値を、設定された記録シート推奨使用回数と比較することにより比較結果を得て、得られた比較結果に基づいて、それぞれの記録シートの使用状況を画像又は音声で通知する通知手段をさらに具備する、請求項７又は８記載の医用画像処理装置。
【請求項１０】
被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と共に使用され、画像データを処理すると共に、それぞれの記録シートが使用された回数を集計する医用画像処理装置であって、
記録シートに記録された放射線画像を読み取ることによって得られた画像データと共に、記録シートを識別するために用いられる記録シート識別情報が前記少なくとも１つの放射線画像読取装置からいずれかの医用画像処理装置に送信される際に、記録シート識別情報を受信するように受信動作を制御する受信制御手段と、
当該医用画像処理装置に対して送信された画像データを受信した際に、該画像データを処理する画像処理手段と、
前記受信制御手段の制御の下で受信された記録シート識別情報に基づいて、記録シート毎に使用された回数をカウントし、設定された条件に従ってカウント値を重み付けして、重み付けされたカウント値を累積して記録シート識別情報に対応させて格納部に格納するカウント手段と、
を具備する医用画像処理装置。
【請求項１１】
前記カウント手段が、放射線画像読取装置毎に設定された条件と、放射線画像読取装置の設置環境毎に設定された条件と、記録シート毎に設定された条件との内の少なくとも１つに従ってカウント値を重み付けする、請求項１０記載の医用画像処理装置。
【請求項１２】
前記カウント手段によって前記格納部に格納されたカウント値を、設定された記録シート推奨使用回数と比較することにより比較結果を得て、得られた比較結果に基づいて、それぞれの記録シートの使用状況を画像又は音声で通知する通知手段をさらに具備する、請求項１０又は１１記載の医用画像処理装置。
【請求項１３】
被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と、前記少なくとも１つの放射線画像読取装置から受信される画像データを処理することが可能な複数の医用画像処理装置と共に使用され、それぞれの記録シートが使用された回数を集計する記録シート使用回数集計装置であって、
記録シートに記録された放射線画像を読み取ることによって得られた画像データと共に、記録シートを識別するために用いられる記録シート識別情報が前記少なくとも１つの放射線画像読取装置からいずれかの医用画像処理装置に送信される際に、記録シート識別情報を受信するように受信動作を制御する受信制御手段と、
前記受信制御手段の制御の下で受信された記録シート識別情報に基づいて、記録シート毎に使用された回数をカウントし、設定された条件に従ってカウント値を重み付けして、重み付けされたカウント値を累積して記録シート識別情報に対応させて格納部に格納するカウント手段と、
を具備する記録シート使用回数集計装置。
【請求項１４】
前記カウント手段が、放射線画像読取装置毎に設定された条件と、放射線画像読取装置の設置環境毎に設定された条件と、記録シート毎に設定された条件との内の少なくとも１つに従ってカウント値を重み付けする、請求項１３記載の記録シート使用回数集計装置。
【請求項１５】
前記カウント手段によって前記格納部に格納されたカウント値を、設定された記録シート推奨使用回数と比較することにより比較結果を得て、得られた比較結果に基づいて、それぞれの記録シートの使用状況を画像又は音声で通知する通知手段をさらに具備する、請求項１３又は１４記載の記録シート使用回数集計装置。
【手続補正２】
【補正対象書類名】明細書
【補正対象項目名】００１２
【補正方法】変更
【補正の内容】
【００１２】
以上の課題を解決するため、本発明の１つの観点に係る記録シート使用回数集計方法は、被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と、少なくとも１つの放射線画像読取装置から受信される画像データを処理することが可能な複数の医用画像処理装置とを含む放射線撮影システムにおいて、それぞれの記録シートが使用された回数を集計する記録シート使用回数集計方法であって、少なくとも１つの放射線画像読取装置から、記録シートに記録された放射線画像を読み取ることによって得られた画像データと共に、記録シートを識別するために用いられる記録シート識別情報を１つの医用画像処理装置において受信するステップ（ａ）と、１つの医用画像処理装置において、ステップ（ａ）において受信された記録シート識別情報に基づいて、記録シート毎に使用された回数をカウントし、設定された条件に従ってカウント値を重み付けして、重み付けされたカウント値を累積して記録シート識別情報に対応させて格納するステップ（ｂ）と、１つの医用画像処理装置において、オペレータによる操作又は設定された条件に従って、他の医用画像処理装置に格納されているカウント値を参照してステップ（ｂ）において格納されたカウント値に加算することにより、記録シート毎に合計カウント値を算出するステップ（ｃ）とを具備する。
【手続補正３】
【補正対象書類名】明細書
【補正対象項目名】００１３
【補正方法】変更
【補正の内容】
【００１３】
また、本発明の１つの観点に係る医用画像処理装置は、被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と共に使用され、画像データを処理すると共に、それぞれの記録シートが使用された回数を集計する医用画像処理装置であって、少なくとも１つの放射線画像読取装置から、記録シートに記録された放射線画像を読み取ることによって得られた画像データと共に、記録シートを識別するために用いられる記録シート識別情報を受信するように受信動作を制御する受信制御手段と、受信制御手段の制御の下で受信された画像データを処理する画像処理手段と、受信制御手段の制御の下で受信された記録シート識別情報に基づいて、記録シート毎に使用された回数をカウントし、設定された条件に従ってカウント値を重み付けして、重み付けされたカウント値を累積して記録シート識別情報に対応させて格納部に格納するカウント手段と、オペレータによる操作又は設定された条件に従って、他の医用画像処理装置に格納されているカウント値を参照して格納部に格納されているカウント値に加算することにより、記録シート毎に合計カウント値を算出する算出手段とを具備する。
【手続補正４】
【補正対象書類名】明細書
【補正対象項目名】００１４
【補正方法】変更
【補正の内容】
【００１４】
さらに、本発明の１つの観点に係る記録シート使用回数集計装置は、被検者に放射線を照射して撮影を行うことにより記録シートに放射線画像を記録する少なくとも１つの放射線撮影装置と、記録シートに記録された放射線画像を読み取ることによって画像データを得る少なくとも１つの放射線画像読取装置と、少なくとも１つの放射線画像読取装置から受信される画像データを処理することが可能な複数の医用画像処理装置と共に使用され、それぞれの記録シートが使用された回数を集計する記録シート使用回数集計装置であって、記録シートに記録された放射線画像を読み取ることによって得られた画像データと共に、記録シートを識別するために用いられる記録シート識別情報が少なくとも１つの放射線画像読取装置からいずれかの医用画像処理装置に送信される際に、記録シート識別情報を受信するように受信動作を制御する受信制御手段と、受信制御手段の制御の下で受信された記録シート識別情報に基づいて、記録シート毎に使用された回数をカウントし、設定された条件に従ってカウント値を重み付けして、重み付けされたカウント値を累積して記録シート識別情報に対応させて格納部に格納するカウント手段とを具備する。
【手続補正５】
【補正対象書類名】明細書
【補正対象項目名】００３９
【補正方法】変更
【補正の内容】
【００３９】
ステップＳ３４において、医用画像処理装置３０のカウント部４３が、受信制御部４１の制御の下で受信された記録シート識別情報に基づいて、記録シート毎に使用された回数をカウントし、設定された条件に従ってカウント値を重み付けし、重み付けされたカウント値を累積して記録シート識別情報に対応させてメモリ３５又はハードディスク３６等の格納部に格納する。ここで、カウント部４３は、それぞれの放射線画像読取装置について、記録シート毎に使用された回数をカウントし、設定された条件に従ってカウント値を重み付けして、重み付けされたカウント値を累積して記録シート識別情報に対応させて格納部に格納しても良い。
【手続補正６】
【補正対象書類名】明細書
【補正対象項目名】００５６
【補正方法】変更
【補正の内容】
【００５６】
画像処理部４２は、当該医用画像処理装置３０に対して送信された画像データを受信した際に、この画像データを処理する。カウント部４３は、受信制御部４７の制御の下で受信された記録シート識別情報に基づいて、記録シート毎に使用された回数をカウントし、設定された条件に従ってカウント値を重み付けし、重み付けされたカウント値を累積して記録シート識別情報に対応させてメモリ３５又はハードディスク３６等の格納部に格納する。
【手続補正７】
【補正対象書類名】明細書
【補正対象項目名】００５９
【補正方法】変更
【補正の内容】
【００５９】
本実施形態においても、カウント部４３が、それぞれの放射線画像読取装置について、記録シート毎に使用された回数をカウントし、設定された条件に従ってカウント値を重み付けして、重み付けされたカウント値を累積して記録シート識別情報に対応させて格納部に格納することにより、それぞれの放射線画像読取装置について、それぞれの記録シートの使用状況が集計されるようにしても良い。
【手続補正８】
【補正対象書類名】明細書
【補正対象項目名】００６４
【補正方法】変更
【補正の内容】
【００６４】
カウント部４３は、受信制御部４７の制御の下で受信された記録シート識別情報に基づいて、記録シート毎に使用された回数をカウントし、設定された条件に従ってカウント値を重み付けし、重み付けされたカウント値を累積して記録シート識別情報に対応させてメモリ３５又はハードディスク３６等の格納部に格納する。
【手続補正９】
【補正対象書類名】明細書
【補正対象項目名】００６７
【補正方法】変更
【補正の内容】
【００６７】
本実施形態においても、カウント部４３が、それぞれの放射線画像読取装置について、記録シート毎に使用された回数をカウントし、設定された条件に従ってカウント値を重み付けして、重み付けされたカウント値を累積して記録シート識別情報に対応させて格納部に格納することにより、それぞれの放射線画像読取装置について、それぞれの記録シートの使用状況が集計されるようにしても良い。
【手続補正１０】
【補正対象書類名】明細書
【補正対象項目名】００６８
【補正方法】変更
【補正の内容】
【００６８】
本実施形態によれば、記録シート使用回数集計サーバにおいて、画像データ及び記録シート識別情報がいずれかの放射線画像読取装置からいずれかの医用画像処理装置に送信される際に、その記録シート識別情報を受信して重み付けしながらカウントアップすることにより、それぞれの記録シートの使用状況を集計又は通知することができる。